(57)【要約】      （修正有）【課題】ユニキャスト情報およびブロードキャスト情報を、送信要求のためのリソース・セットで伝送する。【解決手段】ユニキャスト情報およびブロードキャスト情報は、実質的に同時に送信されうる。信頼性の高い復号のために、ユニキャスト情報およびブロードキャスト情報に個別に電力制御が適用される。ヌル要求は、ユニキャスト部分における“００”ビット、およびブロードキャスト部分におけるゼロ電力レベルによって示されうる。【選択図】図１
2014143717.tif 000002
【特許請求の範囲】
【請求項１】
通信システムにおいて、ユニキャスト情報およびブロードキャスト情報を多重化するために、送信デバイスによって実行される方法であって、
１または複数のリソースにおけるユニキャスト情報を符号化することと、
前記ブロードキャスト情報が前記ユニキャスト情報とともに送信される場合、前記１または複数のリソースのサブセットにおけるブロードキャスト情報を符号化することと、  前記ユニキャスト情報および前記ブロードキャスト情報を、送信要求として、１または複数の受信デバイスへ送信することと
を備える方法。
【請求項２】
前記ユニキャスト情報は、前記ブロードキャスト情報が前記ユニキャスト情報と実質的に同時に送信されるかに応じて符号化される請求項１に記載の方法。
【請求項３】
前記送信要求が生成されないと判定することと、
ユニキャスト部分でヌル要求を送信することと、
ブロードキャスト情報部分に無電力を適用することと
をさらに備える請求項１に記載の方法。
【請求項４】
前記ユニキャスト情報および前記ブロードキャスト情報のための電力を個別に制御することをさらに備える請求項１に記載の方法。
【請求項５】
前記ユニキャスト情報および前記ブロードキャスト情報のための電力を個別に制御することは、１または複数の受信デバイスが干渉を判定することを支援するために、前記ブロードキャスト情報のうちの少なくとも一部の電力を維持することを備える請求項４に記載の方法。
【請求項６】
前記ユニキャスト情報および前記ブロードキャスト情報のための電力を個別に制御することは、
ターゲット受信機へのリンクを閉じることに基づいて、ユニキャスト部分の電力を選択することと、
干渉レベル・インジケーションに基づいて、ブロードキャスト部分の電力を選択することと
を備える請求項４に記載の方法。
【請求項７】
前記１または複数のリソースは、共有時間−周波数グリッドのリソース・セットから選択された隣接するリソースである請求項１に記載の方法。
【請求項８】
前記１または複数のリソースは、ユニキャスト情報のための第１のビットと、ブロードキャスト情報およびユニキャスト情報のための少なくとも第２のビットとを含む請求項７に記載の方法。
【請求項９】
前記ユニキャスト情報のための第１のビットは、バッファ・レベル・インジケーションであり、前記ブロードキャスト情報およびユニキャスト情報のための少なくとも第２のビットは、優先度レベルを示す請求項８に記載の方法。
【請求項１０】
前記１または複数のリソースは、パイロット・ビット、優先度メトリック・ビット、およびオプションのパリティ・チェック・ビットを備え、
前記方法はさらに、
ターゲット受信機において干渉レベル・インジケーションのためのパイロット・ビットに電力を提供することと、
前記送信デバイスが支配的な干渉物である場合、宛先指定されていない受信機に影響がおよぶことに基づいて、優先度メトリック・ビットおよびオプションのパリティ・チェック・ビットにおける電力レベルを電力制御することと
を備える請求項１に記載の方法。
【請求項１１】
無線通信装置であって、
第１のリソースにおけるユニキャスト情報を符号化することと、ブロードキャスト情報が前記ユニキャスト情報とともに送信される場合、少なくとも第２のリソースにおけるブロードキャスト情報およびユニキャスト情報を符号化することと、前記第１のリソースおよび前記第２のリソースを、送信要求として、１または複数の受信デバイスへ送信することと、に関連する命令群を保持するメモリと、
前記メモリに接続され、前記メモリに保持された命令群を実行するように構成されたプロセッサと
を備える無線通信装置。
【請求項１２】
前記メモリはさらに、前記ユニキャスト情報および前記ブロードキャスト情報のための電力レベルを制御すること、に関連する命令群を保持する請求項１１に記載の無線通信装置。
【請求項１３】
前記メモリはさらに、１または複数の受信デバイスが干渉を判定することを支援するために、前記ブロードキャスト情報のための電力を維持すること、に関連する命令群を保持する請求項１２に記載の無線通信装置。
【請求項１４】
前記メモリはさらに、
前記送信要求が生成されないと判定することと、
ユニキャスト部分でヌル要求を送信することと、
ブロードキャスト情報部分に無電力を適用することと、
に関連する命令群を保持する請求項１１に記載の無線通信装置。
【請求項１５】
エネルギ検知の信頼性を向上するために、前記ヌル要求の電力が上げられる請求項１４に記載の無線通信装置。
【請求項１６】
前記メモリはさらに、
ターゲット受信機へのリンクを閉じることに基づいて、ユニキャスト部分の電力を選択することと、
干渉レベル・インジケーションに基づいて、ブロードキャスト部分の電力を選択することと、
に関連する命令群を保持する請求項１１に記載の無線通信装置。
【請求項１７】
ユニキャスト情報のための前記第１のリソースは、バッファ・レベル・インジケーションを含み、ブロードキャスト情報およびユニキャスト情報のための前記少なくとも第２のリソースは、優先度レベルを示す請求項１１に記載の無線通信装置。
【請求項１８】
装置であって、
１または複数のリソースにおけるユニキャスト情報を符号化する手段と、
ブロードキャスト情報が前記ユニキャスト情報とともに送信される場合、１または複数のリソースにおけるブロードキャスト情報を符号化する手段と、
前記ユニキャスト情報および前記ブロードキャスト情報を、送信要求として、１または複数の受信デバイスへ送信する手段と
を備える装置。
【請求項１９】
前記ユニキャスト情報は、ブロードキャスト情報が前記ユニキャスト情報と実質的に同時に送信されるかに応じて符号化される請求項１８に記載の装置。
【請求項２０】
前記ユニキャスト情報および前記ブロードキャスト情報のための電力を個別に制御する手段をさらに備える請求項１８に記載の装置。
【請求項２１】
前記個別に制御する手段は、前記１または複数の受信デバイスが干渉を判定することを支援するために、前記ブロードキャスト情報の電力を維持する請求項２０に記載の装置。
【請求項２２】
前記送信要求が生成されないと判定する手段と、
ユニキャスト部分でヌル要求を送信する手段と、
ブロードキャスト情報部分に無電力を適用する手段と
をさらに備える請求項２０に記載の装置。
【請求項２３】
前記ユニキャスト情報および前記ブロードキャスト情報のための電力を個別に制御する手段は、ターゲット受信機へのリンクを閉じることに基づいて、ユニキャスト部分の電力を選択し、干渉レベル・インジケーションに基づいて、ブロードキャスト部分の電力を選択する請求項２０に記載の装置。
【請求項２４】
前記１または複数のリソースは、共有時間−周波数グリッドのリソース・セットから選択された隣接するリソースである請求項１８に記載の装置。
【請求項２５】
前記１または複数のリソースは、ユニキャスト情報のための第１のビットと、ブロードキャスト情報およびユニキャスト情報のための少なくとも第２のビットとを含む請求項２４に記載の装置。
【請求項２６】
コンピュータ読取可能媒体を備えるコンピュータ・プログラム製品であって、
前記コンピュータ読取可能媒体は、
コンピュータに対して、１または複数のリソースにおけるユニキャスト情報を符号化させるための第１のコードのセットと、
ブロードキャスト情報が前記ユニキャスト情報とともに送信される場合、前記コンピュータに対して、前記１または複数のリソースにおけるブロードキャスト情報を符号化させるための第２のコードのセットであって、ここで、前記ユニキャスト情報は、前記ブロードキャスト情報が前記ユニキャスト情報とともに送信されるかに応じて符号化される、第２のコードのセットと、
前記コンピュータに対して、前記ユニキャスト情報および前記ブロードキャスト情報を含む送信要求を、１または複数の受信デバイスへ送信させるための第３のコードのセットと
を備えるコンピュータ・プログラム製品。
【請求項２７】
前記コンピュータ読取可能媒体はさらに、
前記コンピュータに対して、情報が送信されないと判定させるための第４のコードのセットと、
前記コンピュータに対して、ユニキャスト部分でヌル要求を送信させるための第５のコードのセットであって、ここで、前記ヌル要求は、前記情報は利用可能であるが送信されないことを示す、第５のコードのセットと、
前記コンピュータに対して、ブロードキャスト情報部分に無電力を適用させるための第６のコードのセットと
を備える請求項２６に記載のコンピュータ・プログラム製品。
【請求項２８】
通信システムにおいて、ユニキャスト情報およびブロードキャスト情報を多重化するように構成された少なくとも１つのプロセッサであって、
１または複数のリソースにおけるユニキャスト情報を符号化するための第１のモジュールと、
前記ブロードキャスト情報が前記ユニキャスト情報とともに送信される場合、前記１または複数のリソースのサブセットにおけるブロードキャスト情報を符号化するための第２のモジュールであって、ここで、前記ユニキャスト情報は、前記ブロードキャスト情報が前記ユニキャスト情報と実質的に同時に送信されるかに応じて符号化される、第２のモジュールと、
前記ユニキャスト情報および前記ブロードキャスト情報を、送信要求として、１または複数の受信デバイスへ送信するための第３のモジュールと
を備える少なくとも１つのプロセッサ。
【請求項２９】
前記１または複数のリソースでデータが送信されないと判定するための第４のモジュールと、
ユニキャスト部分でヌル要求を送信するための第５のモジュールであって、ここで、前記ヌル要求は、データが利用可能であるが送信されないことを示す、第５のモジュールと、
ブロードキャスト情報部分に無電力を適用させるための第６のモジュールと
をさらに備える請求項２８に記載の少なくとも１つのプロセッサ。
【請求項３０】
通信システムにおいて、多重化されたユニキャスト情報およびブロードキャスト情報を受信する受信デバイスによって実行される方法であって、
ユニキャスト部分およびブロードキャスト部分を含む信号を受信することと、
前記信号が、前記ユニキャスト部分のみに電力を含んでいるのか、あるいは、前記ユニキャスト部分と前記ブロードキャスト部分との両方に電力を含んでいるのかを判定することと、
前記判定に基づいて、前記信号を選択的に復号することと
を備える方法。
【請求項３１】
前記ブロードキャスト情報の電力レベルと、前記ユニキャスト部分の復号されたビットとが結合され、送信要求が検知されること、をさらに備える請求項３０に記載の方法。
【請求項３２】
前記ブロードキャスト部分における無電力は、ヌル要求を示す請求項３０に記載の方法。
【請求項３３】
前記ヌル要求は、送信デバイスがデータ送信要求を伝送したいが、前記データ送信要求を伝送することを禁じられていることを示す請求項３２に記載の方法。
【請求項３４】
前記データ送信要求を前記送信デバイスが伝送するための機会を作るために、共有制御リソースを求めて競合することをさらに備える請求項３２に記載の方法。
【請求項３５】
前記受信機は、宛先指定された受信機であり、前記ユニキャスト部分は、バッファ・レベル・インジケーションを含み、結合されたブロードキャスト部分およびユニキャスト部分は、優先度レベルを示し、
前記方法はさらに、
競合している送信デバイスのセットからスケジュールするために、優先度レベル・ビットを利用すること、を備える請求項３０に記載の方法。
【請求項３６】
前記受信機は、宛先指定されていない受信機であり、前記ユニキャスト部分は、バッファ・レベル・インジケーションを含み、前記ブロードキャスト部分は、優先度レベルを示し、
前記方法はさらに、
バックオフするかを判定するために、優先度レベル・ビットを利用すること、を備える請求項３０に記載の方法。
【請求項３７】
前記受信機は、宛先指定されていない受信機であり、
前記方法はさらに、
パイロット電力レベルに応じて干渉を推定することを備える請求項３０に記載の方法。
【請求項３８】
無線通信装置であって、
信号を受信することと、前記信号が、ユニキャスト部分に電力を含んでいるのか、前記ユニキャスト部分とブロードキャスト部分との両方に電力を含んでいるのかを判定することと、前記判定に基づいて、前記信号を選択的に復号することと、に関連する命令群を保持するメモリと、
前記メモリに接続され、前記メモリに保持された命令群を実行するように構成されたプロセッサと
を備える無線通信装置。
【請求項３９】
前記メモリはさらに、前記ブロードキャスト情報の電力レベルと、前記ユニキャスト部分の復号されたビットとを結合して、送信要求を検知すること、に関連する命令群を備える請求項３８に記載の無線通信装置。
【請求項４０】
前記ブロードキャスト部分における無電力は、データ送信要求が伝送されないことを示すヌル要求である請求項３８に記載の無線通信装置。
【請求項４１】
装置であって、
信号を受信する手段と、
前記信号が、ユニキャスト部分に電力を含んでいるのか、ユニキャスト部分とブロードキャスト部分との両方に電力を含んでいるのかを判定する手段と、
前記判定に基づいて、前記信号を選択的に復号する手段と
を備える装置。
【請求項４２】
ブロードキャスト情報の電力レベルと、前記ユニキャスト部分の復号されたビットとを結合して、送信要求を検知する手段をさらに備える請求項４１に記載の装置。
【請求項４３】
前記ブロードキャスト部分における無電力は、データ送信要求が送信されないことを示すヌル要求を示す請求項４１に記載の装置。
【請求項４４】
コンピュータ読取可能媒体を備えるコンピュータ・プログラム製品であって、
前記コンピュータ読取可能媒体は、
コンピュータに対して、信号を受信させるための第１のコードのセットと、
前記コンピュータに対して、前記信号が、ユニキャスト部分に電力を含んでいるのか、前記ユニキャスト部分とブロードキャスト部分との両方に電力を含んでいるのかを判定させるための第２のコードのセットと、
前記判定に基づいて、前記コンピュータに対して、前記信号を選択的に復号させるための第３のコードのセットと
を備えるコンピュータ・プログラム製品。
【請求項４５】
前記コンピュータ読取可能媒体はさらに、
前記コンピュータに対して、ブロードキャスト情報の電力レベルと、前記ユニキャスト部分の復号されたビットとを結合して、送信要求を検知させるための第４のコードのセットを備える請求項４４に記載のコンピュータ・プログラム製品。
【請求項４６】
前記ブロードキャスト部分における無電力は、ヌル要求を示す請求項４４に記載のコンピュータ・プログラム製品。
【請求項４７】
前記ヌル要求は、送信デバイスがデータ送信要求を伝送したいが、前記データ送信要求を伝送することを禁じられていることを示す請求項４６に記載のコンピュータ・プログラム製品。
【請求項４８】
通信システムにおいて、多重化されたユニキャスト情報およびブロードキャスト情報を受信するように構成された少なくとも１つのプロセッサであって、
信号を受信するための第１のモジュールと、
前記信号が、ユニキャスト部分に電力を含んでいるのか、前記ユニキャスト部分とブロードキャスト部分との両方に電力を含んでいるのかを判定するための第２のモジュールと、
前記判定に基づいて、前記信号を選択的に復号するための第３のモジュールと
を備える少なくとも１つのプロセッサ。
【請求項４９】
前記ブロードキャスト情報の電力レベルと、前記ユニキャスト部分の復号されたビットとを結合して、送信要求を検知するための第４のモジュールをさらに備える請求項４８に記載の少なくとも１つのプロセッサ。
【請求項５０】
前記ブロードキャスト部分における無電力は、送信デバイスがデータ送信要求を伝送したいが、前記データ送信要求を伝送することを禁じられていることを示すヌル要求を示し、
前記プロセッサはさらに、
前記データ送信要求を前記送信デバイスが伝送するための機会を作るために、共有制御リソースを求めて競合するための第４のモジュールを備える請求項４８に記載の少なくとも１つのプロセッサ。
【発明の詳細な説明】
【相互参照】
【０００１】
本願は、２００８年５月９日に出願され、“ＳＩＧＮＡＬＩＮＧ  ＳＥＰＡＲＡＴＥ  ＵＮＩＣＡＳＴ  ＡＮＤ  ＢＲＯＡＤＣＡＳＴ  ＩＮＦＯＲＭＡＴＩＯＮ  ＷＩＴＨ  ＣＯＭＭＯＮ  ＰＩＬＯＴ"と題され、本願の譲受人に譲渡され、その全体が参照によって本明細書に組み込まれている米国仮出願６１／０５２，０６６号の利益を主張する。
【技術分野】
【０００２】
以下の記載は、一般に、無線通信システムに関し、さらに詳しくは、ユニキャスト情報とブロードキャスト情報とを実質的に同時に伝送することに関する。
【背景技術】
【０００３】
無線通信システムは、さまざまなタイプの通信を提供するために広く開発された。例えば、音声、データ、ビデオなどが、無線通信システムによって提供されうる。一般的な無線通信システム、すなわちネットワークは、１または複数の共有されたリソースへ、複数のユーザ・アクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）等のようなさまざまな多元接続技術を使用することができる。
【０００４】
無線通信ネットワークは、一般に、ユーザが（建物の内部または外部のように）どこに位置していようと、ユーザが静止していようと移動していようと（例えば、車内、歩行中など）に関わらず、情報を通信するために利用される。通常、無線通信ネットワークは、基地局またはアクセス・ポイントと通信するモバイル・デバイスによって確立される。アクセス・ポイントは、地理的な範囲すなわちセルをカバーする。そして、モバイル・デバイスが操作されると、モバイル・デバイスは、これら地理的なセルに入ったり、これら地理的なセルから出たりする。
【０００５】
また、ネットワークは、アクセス・ポイントを利用することなく、ピア・トゥ・ピア・デバイスのみを用いて構築されうる。あるいは、ネットワークは、アクセス・ポイント（インフラストラクチャ・モード）とピア・トゥ・ピア・デバイスとの両方を含みうる。これらのタイプのネットワークはしばしば、アド・ホック・ネットワークまたはピア・トゥ・ピア・ネットワークと称される。アド・ホック・ネットワークは自己形成されうる。これによって、モバイル・デバイス（またはアクセス・ポイント）が、他のモバイル・デバイスからの通信を受信した場合、他のモバイル・デバイスがネットワークに追加される。モバイル・デバイスがその領域を去ると、モバイル・デバイスは、ネットワークから動的に削除される。したがって、ネットワークのトポロジは、絶えず変化しうる。
【０００６】
一般に、ピア・トゥ・ピア・ネットワークでは、送信元ノード（例えば、モバイル・デバイスやアクセス・ポイント）は、ターゲットとする受信機にいくつかの情報を送信し（ユニキャスト）、その他の複数の受信機にいくつかの情報を送信する（ブロードキャスト）。ユニキャスト情報は、バッファ・ビルド・アップの程度、要求されているサービス品質（ＱｏＳ）などのような情報を含みうる。ブロードキャスト情報は、アクセス優先度（または限界効用のような等価なメトリック）や、ノードが干渉するであろう電力レベルを示すインジケーション等を伝送しうる。さらに、コヒーレントな復調のために、パイロットが送信されうる。セットアップは、ノードがシグナリングのために使用する共通の共有リソース（シンボルおよびトーン）を含む。純粋なエネルギ・ベースのシグナリングと、対応する非コヒーレントな検知とによって、リソースの選択時に、競合しているリンク間で衝突があった場合、および／または、不適切な電力設定の要求があった場合、宛先指定された受信機において、誤ったアラームが発せられる。なぜなら、アラームは、（例えば、ターゲット受信機へのリンクを閉じるため、および、近隣にある他の受信機に、干渉の程度を伝えるためのような）複数の目的のために使用されうるからである。したがって、前述した問題のみならず、その他の問題も克服する必要がある。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様および対応する開示によれば、さまざまな態様が、送信要求のためのリソース・セットにおけるユニキャスト情報およびブロードキャスト情報を伝送することに関連して記載される。ターゲット受信機において、ユニキャスト情報のより信頼性の高い復号のために、ユニキャスト部分に電力制御が適用されうる。ユニキャスト部分におけるヌル・ビットと、ブロードキャスト部分における電力レベルとが結合され、要求があること（または、無いこと）が検知される。
【０００９】
態様は、通信システムにおいて、ユニキャスト情報およびブロードキャスト情報を多重化するために、送信デバイスによって実行される方法に関する。この方法は、１または複数のリソースにおけるユニキャスト情報を符号化することと、ブロードキャスト情報がユニキャスト情報とともに送信される場合、１または複数のリソースのサブセットにおけるブロードキャスト情報を符号化することとを含む。方法はまた、ユニキャスト情報およびブロードキャスト情報を、送信要求として、１または複数の受信デバイスへ送信することを含む。
【００１０】
別の態様は、メモリおよびプロセッサを含む無線通信装置に関する。このメモリは、第１のリソースにおけるユニキャスト情報を符号化することと、ブロードキャスト情報がユニキャスト情報とともに送信される場合、第２のリソースにおけるブロードキャスト情報を符号化することと、に関連する命令群を保持する。いくつかの態様によれば、第２のリソースは、第１のリソースのサブセットである。しかしながら、他の態様によれば、第２のリソースは、第１のリソースのサブセットではない。メモリはまた、第１リソースおよび第２のリソースを、送信要求として、１または複数の受信デバイスへ送信することに関連する命令群を保持する。プロセッサは、メモリに接続されており、メモリに保持された命令群を実行するように構成される。
【００１１】
別の態様は、１または複数のリソースにおけるユニキャスト情報を符号化する手段と、ブロードキャスト情報がユニキャスト情報とともに送信される場合、１または複数のリソースにおけるブロードキャスト情報を符号化する手段とを含む装置に関する。装置はまた、ユニキャスト情報およびブロードキャスト情報のための電力を選択的に制御する手段を含む。装置はさらに、ユニキャスト情報およびブロードキャスト情報を、送信要求として、１または複数の受信デバイスへ送信する手段を含む。
【００１２】
さらに別の態様は、コンピュータに対して、１または複数のリソースにおけるユニキャスト情報を符号化させるための第１のコードのセットを備えるコンピュータ読取可能媒体を備えるコンピュータ・プログラム製品に関する。このコンピュータ読取可能媒体はまた、ブロードキャスト情報がユニキャスト情報とともに送信される場合、コンピュータに対して、１または複数のリソースにおけるブロードキャスト情報を符号化させるための第２のコードのセットを含む。ユニキャスト情報は、ブロードキャスト情報がユニキャスト情報とともに送信されるかに応じて符号化される。コンピュータ読取可能媒体はさらに、コンピュータに対して、ユニキャスト情報およびブロードキャスト情報を含む送信要求を、１または複数の受信デバイスへ送信させるための第３のコードのセットを含む。
【００１３】
さらなる態様は、通信システムにおいて、ユニキャスト情報およびブロードキャスト情報を多重化するように構成された少なくとも１つのプロセッサに関する。このプロセッサは、１または複数のリソースにおけるユニキャスト情報を符号化するための第１のモジュールと、ブロードキャスト情報がユニキャスト情報とともに送信される場合、これらリソースのサブセットにおけるブロードキャスト情報を符号化するための第２のモジュールとを含む。ユニキャスト情報は、ブロードキャスト情報がユニキャスト情報と実質的に同時に送信されるかに応じて符号化される。プロセッサはまた、ユニキャスト情報およびブロードキャスト情報を、送信要求として、１または複数の受信デバイスへ送信するための第３のモジュールを含む。
【００１４】
別の態様は、通信システムにおいて、多重化されたユニキャスト情報およびブロードキャスト情報を受信する受信デバイスによって実行される方法に関する。この方法は、ユニキャスト部分およびブロードキャスト部分を含む信号を受信することを含む。この方法はまた、信号が、ユニキャスト部分のみに電力を含んでいるのか、あるいは、ユニキャスト部分とブロードキャスト部分との両方に電力を含んでいるのかを判定することと、この電力判定に基づいて、信号を選択的に復号することとを含む。いくつかの態様によれば、ブロードキャスト情報の電力レベルと、ユニキャスト部分の復号されたビットとが結合され、送信要求が検知される。
【００１５】
さらに別の態様は、メモリおよびプロセッサを備える無線通信装置に関する。メモリは、信号を受信することと、この信号が、ユニキャスト部分に電力を含んでいるのか、ユニキャスト部分とブロードキャスト部分との両方に電力を含んでいるのかを判定することと、に関連する命令群を保持する。メモリはまた、この電力判定に基づいて、信号を選択的に復号することに関連する命令群を保持する。プロセッサは、メモリに接続されており、メモリに保持された命令群を実行するように構成されている。
【００１６】
また別の態様は、信号を受信する手段と、この信号が、ユニキャスト部分に電力を含んでいるのか、ユニキャスト部分とブロードキャスト部分との両方に電力を含んでいるのかを判定する手段と、を含む装置に関連する。装置はまた、この電力判定に基づいて、信号を選択的に復号する手段を含む。
【００１７】
さらなる態様は、コンピュータ読取可能媒体を含むコンピュータ・プログラム製品に関する。コンピュータ読取可能媒体は、コンピュータに対して、信号を受信させるための第１のコードのセットと、コンピュータに対して、この信号が、ユニキャスト部分に電力を含んでいるのか、ユニキャスト部分とブロードキャスト部分との両方に電力を含んでいるのかを判定させるための第２のコードのセットとを含む。コンピュータ読取可能媒体はまた、この電力判定に基づいて、コンピュータに対して、この信号を選択的に復号させるための第３のコードのセットを含む。
【００１８】
さらに別の態様は、通信システムにおいて、多重化されたユニキャスト情報およびブロードキャスト情報を受信するように構成された少なくとも１つのプロセッサに関連する。この少なくとも１つのプロセッサは、信号を受信するための第１のモジュールと、この信号が、ユニキャスト部分に電力を含んでいるのか、ユニキャスト部分とブロードキャスト部分との両方に電力を含んでいるのかを判定するための第２のモジュールとを含む。この少なくとも１つのプロセッサはまた、この電力判定に基づいて、この信号を選択的に復号するための第３のモジュールを含む。
【００１９】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用されるさまざまな方式のうちのわずかを示すにすぎない。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００２０】
【図１】図１は、本明細書に示されたさまざまな実施形態にしたがう無線通信システムを例示する。
【図２】図２は、態様にしたがって、通信環境において、ユニキャスト情報とブロードキャスト情報とを実質的に同時に送信するシステムを例示する。
【図３】図３は、態様にしたがって、グリッド内における送信信号の例を用いて、共有リソースの時間−周波数グリッドを例示する。
【図４】図４は、開示された態様で利用されうるリソース・セットの一例を例示する。
【図５】図５は、態様にしたがって、通信環境内でユニキャスト情報およびブロードキャスト情報を受信するシステムを例示する。
【図６】図６は、態様にしたがって、通信システムにおいてユニキャスト情報とブロードキャスト情報とを多重化する方法を例示する。
【図７】図７は、態様にしたがって、多重化されたユニキャスト情報およびブロードキャスト情報を受信する方法を例示する。
【図８】図８は、開示された態様の１または複数にしたがって、通信システムにおいて多重化されたユニキャスト情報およびブロードキャスト情報を受信および／または送信することを容易にするシステムを例示する。
【図９】図９は、態様にしたがって、通信システムにおいて、ユニキャスト情報とブロードキャスト情報とを多重化するシステムを例示する。
【図１０】図１０は、態様にしたがって、通信システムにおいて、多重化されたユニキャスト情報およびブロードキャスト情報を受信するシステムの例を例示する。
【発明を実施するための形態】
【００２１】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、これら態様の記載を容易にするために、周知の構成およびデバイスが、ブロック図形式で示される。
【００２２】
本願において使用されるような用語「構成要素」、「モジュール」、「システム」などは、ハードウェア、ファームウェア、ハードウェアとソフトウェアの組み合わせ、ソフトウェア、あるいは実行中のソフトウェアのうちの何れかのようなコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。
【００２３】
さらに、さまざまな態様が、モバイル・デバイスに関して本明細書で記載される。モバイル・デバイスはまた、加入者ユニット、加入者局、移動局、モバイル、無線端末、ノード、デバイス、遠隔局、遠隔端末、アクセス端末、ユーザ端末、端末、無線通信デバイス、無線通信装置、ユーザ・エージェント、ユーザ・デバイス、あるいはユーザ機器（ＵＥ）などとも称され、システムの機能のうちのいくつかまたはすべてを含むことができる。モバイル・デバイスは、セルラ電話、コードレス電話、セッション初期化プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、無線端末と通信するために利用することができ、アクセス・ポイント、ノード、ノードＢ、ｅノードＢ、ｅ−ＮＢ、あるいは、その他のいくつかのネットワーク・エンティティで称され、これらの機能のうちのいくつかまたはすべてを含むことができる。
【００２４】
さまざまな態様または特徴が、多くのデバイス、構成要素、モジュールなどを含むシステムの観点から示されるだろう。さまざまなシステムが、追加のデバイス、構成要素、モジュールなどを含むことができるか、および／または、図面に関連して説明されたデバイス、構成要素、モジュールなどの必ずしも全てを含んでいる訳ではないことが理解され、認識されるべきである。これらアプローチの組み合わせもまた使用されうる。
【００２５】
さらに、主題とする記載では、「典型的」という用語は、例、事例、または例示として役立つことを意味するために使用される。本明細書で「典型的」と記載された任意の態様または設計は、必ずしも、他の態様または設計に対して好適であるとも、有利であるとも解釈される必要はない。むしろ、「典型的」という用語を用いることは、概念を具体的な方式で表すことが意図されている。
【００２６】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。さらに、基地局１０２は、家庭基地局、フェムト基地局等でありうる。
【００２７】
基地局１０２は、例えばモバイル・デバイス１１６のような１または複数のモバイル・デバイスと通信しうる。しかしながら、基地局１０２は、モバイル・デバイス１１６と類似した実質的に任意の数のモバイル・デバイスと通信しうることが認識されるべきである。図示するように、モバイル・デバイス１１６は、アンテナ１０４およびアンテナ１０６と通信している。ここで、アンテナ１０４およびアンテナ１０６は、順方向リンク１１８によってモバイル・デバイス１１６へ情報を送信し、逆方向リンク１２０によってモバイル・デバイス１１６から情報を受信する。
【００２８】
それに加えて、モバイル・デバイス１２２、１２８は、例えば、ピア・トゥ・ピア構成において、互いに通信しうる。さらに、モバイル・デバイス１２２は、類似のリンク１２４およびリンク１２６を使用して、モバイル・デバイス１２８と通信する。周波数分割デュプレクス（ＦＤＤ）システムでは、例えば、順方向リンク１１８は、逆方向リンク１２０によって使用されるものとは異なる周波数帯域を利用しうる。さらに、時分割デュプレクス（ＴＤＤ）システムでは、順方向リンク１１８および逆方向リンク１２０は、共通の周波数帯域を利用しうる。
【００２９】
ピア・トゥ・ピア・アド・ホック・ネットワークでは、例えばデバイス１２２、１２２のように、互いの範囲内にあるデバイスは、通信を中継するための基地局１０２および／または有線インフラストラクチャ無しで互いに直接的に通信しうる。それに加えて、ピア・デバイスまたはノードが、トラフィックを中継しうる。ピア・トゥ・ピア方式で通信するネットワーク内のデバイスは、基地局と同様に機能することができ、トラフィックが最終目的地に達するまで、他のデバイスへトラフィックまたは通信を中継することにより、基地局と同様に機能する。デバイスはまた、ピア・ノード間のデータ送信を管理するために利用される情報を伝送する制御チャネルを送信しうる。
【００３０】
通信ネットワークは、無線通信している任意の数のモバイル・デバイスまたはノードを含みうる。おのおののノードは、１または複数の他のノードの範囲内にある場合があり、例えば、（例えば、通信が、最終目的地に達するまでノードからノードへとホップする）マルチ・ホップ・トポグラフィによって、他のノードと通信しうるか、あるいは、他のノードを利用することにより通信しうる。例えば、送信元ノードが、受信先ノードとの通信を求める。送信元ノードと受信先ノードとの間のパケット転送を可能にするために、１または複数の中間ノードが利用されうる。任意のノードが、送信元ノードおよび／または受信先ノードになることができ、情報の送信および／または受信のうちの何れかの機能を実質的に同時に実行しうる（例えば、情報を受信するのとほとんど同時に情報をブロードキャストまたは通信しうる）ことが理解されるべきである。ネットワーク内の何れのノードも、情報を伝送することができ、おのおののノードは、メモリと、メモリに接続され、メモリに保持された命令群を実行するように構成されたプロセッサとを含みうる。
【００３１】
いくつかの態様によれば、ユニキャスト情報およびブロードキャスト情報が、送信要求のためのリソース・セットで伝送されうる。ユニキャスト波形は、単一のユーザまたはモバイル・デバイス１０２に宛先指定されたたパケットを含んでいる。マルチキャスト波形は、例えば、通信ネットワーク内のすべてのモバイル・デバイスのような複数のユーザに宛先指定されたパケットを含んでいる。
【００３２】
図２は、通信環境内で、ユニキャスト情報とブロードキャスト情報とを実質的に同時に送信するためのシステム２００を例示する。ユニキャスト情報は、宛先指定された受信機に提供され、ブロードキャスト情報は、通信環境内の干渉者に提供される。システム２００は、ユニキャスト情報とブロードキャスト情報とを多重化しうる。これは、ユニキャスト部分とブロードキャスト部分とに個別に電力制御を提供しながら、誤ったアラームを緩和しうる。
【００３３】
システム２００は、ユニキャスト情報および／またはブロードキャスト情報を、受信デバイス２０４へ送信する送信デバイス２０２を含んでいる。システム２００には、多くの送信デバイス２０２および受信デバイス２０４が含まれうるが、単純化の目的で、おのおののうちの１つだけが図示されている。
【００３４】
送信デバイス２０２には、信号を変調および／または符号化するように構成されたエンコーダ２０６が含まれる。この信号は、適切な無線通信プロトコルにしたがって受信デバイス２０４へと送信されうる。いくつかの態様によれば、エンコーダ２０６は、アナログ波形をデジタル信号に変換するためにスピーチ・アナライザを利用するボイス・コーダ（ボコーダ）であるか、あるいは、別のタイプのエンコーダでありうる。エンコーダ２０６はさらに、ユニキャスト情報２０８をブロードキャスト情報２１０と別々に符号化するように構成されうる。
【００３５】
ユニキャスト情報は、送信要求を示すために、例えば優先度レベル、バッファ・サイズなどのようなさまざまなタイプの情報を含みうる。ブロードキャスト情報は、（送信電力レベルによって暗黙的に得られる、あるいは、電力レベルを示すビットを用いて明示的に得られる）干渉量、（ユニキャスト情報に含まれる優先度レベルとは異なる優先度レベルであるか、あるいは、同じ優先度レベルでありうる）優先度レベル、あるいはその他のタイプの情報を含みうる。いくつかの態様によれば、ブロードキャスト情報が、ユニキャスト情報と実質的に同時に送信されたかに応じてユニキャスト情報が符号化される。いくつかの態様によれば、パイロットがブロードキャスト部分で送信され、ユニキャスト部分は、受信機において、コヒーレントな復調のために、同じパイロットを利用しうる。したがって、パイロットは、ユニキャスト部分で送信されない場合がある。これは、ブロードキャスト部分に基づくパイロット電力設定が、コヒーレントな復調のために十分強いと仮定している（通常は、このケースになりうる）。
【００３６】
ユニキャスト情報および／またはブロードキャスト情報は、１または複数のリソースに含まれうる。ユニキャスト情報とブロードキャスト情報の何れかまたは両方に利用されるリソースの数は、同じ場合も、異なる場合もありうる。いくつかの態様によれば、ユニキャスト情報および／またはブロードキャスト情報のために利用されるリソース数に関し、１対１の関係はない。例えば、態様によれば、ユニキャスト部分は、ユーザによるユニキャスト情報およびブロードキャスト情報の送信のために確保されたすべてのリソースへマップされうる。一方、ブロードキャスト情報は、これらリソースのサブセットに存在しうる。
【００３７】
電力制御モジュール２１２は、情報を復号する信頼性の向上、および、共有リソースにおける干渉の発生の緩和のために、電力制御を実行するように構成される。ブロードキャスト部分２１０の電力は、一定レベルに保たれるか、あるいは、他のノードに対する干渉を判定するために利用されうる制御情報が対応するデータ送信のための所望電力に比例してスケールされうる。ユニキャスト情報は、宛先指定された受信機が信号を検知できるような電力レベルで送信されるべきである。ブロードキャスト情報は、干渉を受けやすい近隣の多くの受信デバイスが、信号を検知し、これら受信デバイスが受ける干渉の範囲を判定できるような電力で送信されるべきである。したがって、いくつかの態様によれば、ユニキャスト情報は、ブロードキャスト情報の送信に利用される電力レベルよりも低いかまたは高い電力レベルで送信されうる。
【００３８】
いくつかの態様によれば、電力は、ユニキャスト部分においては、電力制御モジュール２１２によって常時送信され、ブロードキャスト部分においては、要求が送られた場合にのみ送信されうる。そのようなアプローチの利点は、ブロードキャスト部分に関する電力送信（要求がなされない場合のゼロ電力を含む）を、宛先指定された受信機へ正しく示しながら、要求の存在に関するターゲット・リソースにおける誤ったアラームの可能性を抑えることである。
【００３９】
開示された態様を完全に理解するために、図３は、本明細書に記載された態様のうちの１または複数にしたがって、グリッド内における送信信号３００の例を用いて、共有リソースの時間−周波数グリッドを例示する。本明細書に開示されたさまざまな態様は、直交周波数分割多重化（ＯＦＤＭ）に関して説明されうるが、記載された態様とともに他のシグナリング技術も利用されうることが理解されるべきである。横軸３０２は時間に相当し、縦軸３０４は周波数を示す。いくつかが３０６でラベルされている列は、所与のシンボル期間におけるトーンを表す。例えばボックス３０８のような小型の各ボックスは、トーン・シンボルを表す。これは、単一の送信信号期間にわたる単一のトーンである。ＯＦＤＭシンボルにおける自由度が、トーン・シンボル３０８である。
【００４０】
さまざまな態様によれば、リソース・セットは、４リソースまたは２リソースを含みうる。３つの異なる４リソース・セットの例が、黒いボックスによって図示されている。３１０は、水平方向のリソース・セットを表しており、３１２は、垂直方向のリソース・セットを表している。さらに、分散した黒いボックスによって図示されるように、リソース・セットは、時間−周波数グリッドの全体にわたって分散されうる。
【００４１】
図４に示すように、開示された態様とともに利用されるリソース・セットの例が示されている。いくつかの態様によれば、例示された（例えば、４リソースの）リソース・セットは、共有時間−周波数グリッドから選択された隣接するリソースでありうる。しかしながら、開示された態様は、隣接するリソースに限定されない。
【００４２】
態様によれば、４０２では、パリティ・チェック・ビットを含む４ビットのリソース・セットの設計例が例示されている。この例では、リソース・セット４０２は、ユニキャスト情報のみからなる２ビットを含んでいる。残りの２ビットは主としてブロードキャスト情報のためであるが、ユニキャスト情報のために利用することも可能である。例えば、ユニキャストのみの２ビットは、バッファ・レベル・インジケーションであり、残りの２ビットは、優先度レベルを示しうる。優先度レベル・ビットは、競合している送信ノードのセットからどのようにスケジュールするかを判定するために、所望の受信機によって利用されうる。所望されない受信機は、（意図された送信機からの受信からの）バックオフを実行するかしないかを判定するために、優先度レベル・ビットを利用しうる。
【００４３】
４０４では、パリティ・チェック・ビットのない類似のリソース・セットの設計例が例示される。この図は、実施形態の例を示し、ビット数は、これら図示および記載されたものよりも多い場合も少ない場合もあり、当業者であれば、本明細書に記載された設計の例を容易に修正できることが理解されるべきである。これらリソース・セット４０２、４０４の例において、リソース４０６は、コヒーレントな復調および干渉レベル・インジケーションのためのパイロット・ビットを含む。リソース４０８は、バッファ・レベル・ビットを含んでおり、ユニキャスト用である。リソース４１０は、ユニキャストのためにも使用されうるが、主としてブロードキャストのための優先度メトリック・ビットを示している。幾つかの場合においては、宛先指定された受信機もまた、このリソースを利用する。リソース４１２は、パリティ・チェック・ビットを含んでおり、（例えば、信頼性を向上するために用いられる）オプション用途のためのものである。
【００４４】
リソース４０６の電力レベルは、所望のデータ送信電力に基づきうる。これによって、宛先指定されていない受信機は、干渉を考慮できるようになる。リソース４０６の電力レベルは、ターゲット受信機におけるチャネル推定が、他のビットを復号するために十分であると仮定される。リソース４１０およびオプションのリソース４１２の電力レベルは、送信元のノードが支配的な干渉者となる宛先指定されていない受信機に達することに基づいて電力制御される。いくつかの態様によれば、リソース４１２は、代わりに、電所望のリソースに対してちょうど良く電力制御されうる。さらに、リソース４０８の電力レベルは、リンクを閉じるために、ターゲット受信機に対して電力制御される。
【００４５】
４１４では、ヌル要求が例示される。ヌル要求を示すビット“００”は、リソース４１６で送信される。その他すべてのリソース４１８、４２０、４２２は、ゼロ電力で残る。所望の受信機は、エネルギを検知するために、エネルギ検知の組み合わせ、すなわち、リソース４１６においてエネルギが存在することと、リソース４１８、４２０、４２２においてエネルギが存在しないこととの組み合わせを用いる。リソース４１８にエネルギが存在しないことによって、所望されない受信機は、この送信機からの干渉は深刻なものではないと判定できるようになる。いくつかの態様によれば、所望のリンクの信号対雑音比が低い場合、エネルギ検知の信頼性向上のために、ヌル要求送信の電力が上げられる。
【００４６】
４２４には、ユニキャスト情報のみのための２ビットの設計の例が例示される。残りの１ビットは、ユニキャストとブロードキャストとの両方に利用されうる。例えば、ユニキャストのみの２ビットは、バッファ・レベル・インジケーションであり、残りの１ビットは、優先度レベルを示しうる。（緊急であること／緊急ではないことを示す）優先度レベル・ビットは、競合している送信元ノードからどのようにしてスケジュールするかを判定するために所望の受信機によって利用されうる。所望されない受信機は、（意図された送信機からの受信からの）バックオフを実行するかしないかを判定するために、優先度レベル・ビットを利用しうる。
【００４７】
この例において、リソース４２６は、パイロット・ビットおよび優先度ビットを含んでいる直角位相シフト・キーイング（ＱＰＳＫ）信号である。パイロット・ビットは「同相」分岐または「直角位相」分岐上の何れかに存在しうる。同様に、優先度ビットは、パイロットが不在の分岐上に存在するだろう。リソース４２８におけるビットを復調するために、優先度ビットが、オン／オフ・キーイングを用いてシグナルされることが注目されるべきである。したがって、１つのバイナリ値についてゼロ・エネルギが割り当てられ、他のバイナリ値についてゼロではないエネルギが割り当てられる。リソース４２８は、所望の受信機に対してバッファ・レベルを示す２ビットを含む。
【００４８】
ヌル要求が送信された場合、リソース４２６にエネルギは割り当てられない。パイロット・ビットが、同相分岐または直角位相分岐のいずれか一方のみに使用される場合、２ビットによる設計４２４であるこの例では、ビットの検知は、以下にしたがって実行されうる。まず、２つのチャネル推定値が、リソース４２６に基づいて生成される。１つの推定値は、ゼロに等しい優先度ビットを備え、他の１つの推定値は、１に等しい優先度ビットを備える。２つのチャネル推定値のおのおのの複素共役が、リソース４２８で受信された複素数値と掛け合わされ、２つの別の判定統計値が得られる。リソース４２８は、４５度のラインと１３５度のラインにおけるコンステレーション・ポイントを用いたＱＰＳＫ変調を利用するので、これらラインのうちの１つに対して角度的に最も近い（２つの判定統計値からの）判定統計値が判定される。次に、最も近いコンステレーション・ポイントが発見される。そのコンステレーション・ポイントに対応する２ビットが読み取られる。これは、リソース４２８における２ビットに着目する。上記からの２つの仮説のうちの何れがリソース４２８におけるビットについて使用されるかに基づいて、リソース４２６におけるビットが読み取られる。
【００４９】
再び図２に示すように、送信デバイス２０２は、要求がない場合、ユニキャスト部分で（あるいは、要求の不在を示すシーケンスまたはインジケータに基づいて合意された何れかで）“００”を送信するように構成されたヌル・インジケータ２１４を含みうる。“００”は、ヌル要求を示し、ヌル要求が送信された場合には、ブロードキャスト部分で電力は送信されない（あるいは、極く僅かしか電力が送信されない）。受信デバイスは、ブロードキャスト情報における電力レベルと、ユニキャスト部分における復号されたビットとを結合することによって、要求を検知しうる。これは、（例えば、要求がない場合に要求が存在すると検知するような）誤ったアラームの可能性を緩和するために利用されうる。多くの干渉をもたらすとして、受信機によってブロックされており、データ部分におけるどのデータも送信できないと送信機が判定した場合、ヌル要求が使用される。送信機が、送信すべきデータを有しているが、近隣の受信機によって、送信することが阻止されていることを受信機に対して示すために、ヌル要求が利用される。したがって、ヌル要求は、受信機に対して、送信機が送信するための機会を作るために、受信機は、媒体を求めて競合する必要があることを知らせる。
【００５０】
例えば、送信デバイス２０２は、その優先度レベルが低すぎるために、情報を伝送することができない。しかしながら、送信すべき情報があるが、近隣における受信機が広告しているものに対して優先度レベルが低いために送信されないことを、受信デバイス２０４に対して通知する必要がある。あるいは、送信デバイス２０２は、送信すべき情報を有しておらず、受信デバイスに対して、情報がないと通知する理由がある。これらの状況（あるいはその他の理由）のうちの何れにおいても、ユニキャスト部分でヌル要求が送信され、ブロードキャスト部分でいずれの情報も送信されない。電力はユニキャスト部分で送信されるので、ヌル要求は、宛先指定された受信機によってのみ受信される。送信デバイス２０２が干渉しうるその他のデバイスは、ヌル要求を検知しない。
【００５１】
システム２００は、送信デバイス２０２と動作可能に接続されたメモリ２１６を含みうる。メモリ２１６は、送信デバイス２０２の外部に存在しうるが、送信デバイスの内部にも存在しうる。メモリ２１６は、１または複数のリソースにおけるユニキャスト情報を符号化することと、ブロードキャスト情報が、ユニキャスト情報と実質的に同時に送信される場合、１または複数のリソースにおけるブロードキャスト情報を符号化することと、に関連する情報を格納しうる。さらに、メモリ２１６は、ユニキャスト情報およびブロードキャスト情報のために電力を選択的に制御することと、ユニキャスト情報とブロードキャスト情報を、要求に応じて、１または複数の受信デバイスへ送信することと、に関連する情報を格納しうる。メモリ２１６はまた、ピア・トゥ・ピアまたはアド・ホック通信ネットワークでありうる通信ネットワークにおいて、共通のパイロットを用いて、個別のユニキャスト情報およびブロードキャスト情報をシグナルすることに関連するその他の適切な情報に関連する情報をも格納しうる。
【００５２】
プロセッサ２１８は、送信デバイス２０２（および／またはメモリ２１６）に動作可能に接続されており、メモリに保持された命令群を実行するように構成されている。プロセッサ２１８は、送信デバイス２０２によって送信された情報の分析および／または送信デバイス２０２によって送信される情報の生成に特化されたプロセッサであるか、システム２００のうちの１または複数の構成要素を制御するプロセッサであるか、および／または、送信デバイス２０２によって送信された情報の分析および／または送信デバイス２０２によって送信される情報の生成と、システム２００のうちの１または複数の構成要素を制御とを行うプロセッサでありうる。
【００５３】
メモリ２１６は、ユニキャスト情報およびブロードキャスト情報をシグナリングすることに関連付けられたプロトコルを格納し、送信デバイス２０２と１または複数の受信デバイスとの間等の通信を制御するための動作を講じる。これによって、システム２００は、本明細書に記載されたように、無線ネットワークにおいて、向上された通信を達成するために、格納されたプロトコルおよび／またはアルゴリズムを適用できるようになる。本明細書に記載されたデータ・ストア（例えば、メモリ）構成要素は、揮発性メモリまたは不揮発性メモリの何れかであるか、あるいは揮発性メモリと不揮発性メモリとの両方を含みうることが認識されるべきである。限定ではなく、一例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく、一例として、ＲＡＭは、例えばシンクロナスＲＡＭ（ＤＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、Ｓｙｎｃｈｌｉｎｋ  ＤＲＡＭ（ＳＬＤＲＡＭ）、およびダイレクト・ラムバスＲＡＭ（ＤＲＲＡＭ）のような多くの形式で利用可能である。開示された態様のメモリ２２０は、限定することなく、これらのタイプのメモリおよびその他の適切なタイプのメモリを備えることが意図されている。
【００５４】
図５は、通信環境内でユニキャスト情報およびブロードキャスト情報を受信するシステム５００を例示する。システム５００は、送信デバイス５０４（例えば、図２の送信デバイス２０２）からユニキャスト情報および／またはブロードキャスト情報を受信する受信デバイス５０２を含んでいる。システム５００には多くの受信デバイスおよび送信デバイスを含まれうるが、簡略化の目的のために、おのおののうちの１つだけが図示されている。
【００５５】
受信デバイス５０２は、処理のために、受信した信号および／またはデータ・パケットを復号するデコーダ５０６を含む。デコーダ５０６は、受信した信号を、ユニキャスト部分５０８および／またはブロードキャスト部分５１０と、これらに含まれる情報とについて評価する。
【００５６】
受信デバイス５０２には、ユニキャスト情報５０８および／またはブロードキャスト情報５１０に関する電力が受信されたかを判定するように構成された電力検知モジュール５１２も含まれている。ユニキャスト情報５０８の電力は、ほとんどの場合において受信されるのに対し、ブロードキャスト情報５１０の電力は、（非ヌル）要求が受信された場合にのみ受信されうる。
【００５７】
受信デバイス５０２にはさらにヌル検知器５１４が含まれている。ヌル検知器５１４は、ユニキャスト部分５０８において“００”が受信されたかを判定するように構成されうる。“００”は、ヌル要求を示し、ブロードキャスト部分に電力がないことを示す。この要求の存在は、ブロードキャスト情報５１０における電力レベルと、ユニキャスト情報５０８において復号されたビットとを結合することによって検知されうる。ヌル要求は、誤ったアラームの可能性を緩和しうる。
【００５８】
システム５００は、受信デバイス５０２に動作可能に接続されたメモリ５１６を含みうる。メモリ５１６は、受信デバイス５０２の外側にあるか、あるいは、受信デバイス５０２内に存在しうる。メモリ５１６は、信号を受信することと、この信号が、ユニキャスト部分に電力を含んでいるか、ユニキャスト部分とブロードキャスト部分との両方に電力を含んでいるかを判定することと、この電力判定に基づいて、この信号を選択的に復号することと、に関連する情報を格納しうる。メモリ５１６はまた、通信ネットワークにおいて送信された信号および受信された信号に関連するその他の適切な情報をも保持しうる。プロセッサ５１８は、通信ネットワークにおいて、ユニキャスト情報とブロードキャスト情報とを個別に含む共通パイロットを受信することに関連する情報の分析を容易にするために、受信デバイス５０２（および／またはメモリ５１６）に動作可能に接続されうる。プロセッサ５１８は、受信デバイス５０２によって受信された情報の分析および／または生成に特化されたプロセッサであるか、システム５００のうちの１または複数の構成要素を制御するプロセッサであるか、および／または、受信デバイス５０２によって受信された情報の分析および／または生成と、システム５００のうちの１または複数の構成要素の制御とを行うプロセッサでありうる。
【００５９】
メモリ５１６は、ユニキャスト情報およびブロードキャスト情報を復号することに関連付けられたプロトコルを格納し、送信デバイス５０４と受信デバイス５０２との間等の通信を制御するための動作を講じる。これによって、システム５００は、本明細書に記載されたように、無線ネットワークにおいて、向上された通信を達成するために、格納されたプロトコルおよび／またはアルゴリズムを適用できるようになる。
【００６０】
いくつかの態様によれば、図２の送信デバイス２０２および図５の受信デバイス５０２に関連付けられた構成要素は、別々のデバイスとして例示および説明されているが、単一のデバイスに含まれうる。したがって、本明細書で開示された態様によれば、単一のデバイスが、情報の送信と受信との両方の機能を含みうる。それゆえ、本明細書で開示された態様によれば、単一のデバイスが、情報を送信および／または受信しうる。
【００６１】
上述され図示された典型的なシステムを考慮すると、開示された主題にしたがって実現されうる方法は、以下のフローチャートを参照してより良く理解されるだろう。説明の単純化の目的のために、これら方法は一連のブロックとして図示および説明されているが、権利主張される主題は、いくつかのブロックは、本明細書に図示および記載されたものとは異なる順序で実行されたり、および／または、他のブロックと実質的に同時に実行されうるので、ブロックの数または順序によって限定されないことが理解および認識されるべきである。さらに、後述する方法を実現するために、例示されたすべてのブロックが、必ずしも必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、以下に開示される方法および本明細書全体にわたる方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００６２】
図６は、通信システムにおいてユニキャスト情報とブロードキャスト情報とを多重化する方法６００を図示する。いくつかの態様によれば、制御リソースは共有されうる。方法６００は、誤ったアラームを緩和しうるので、ユニキャスト部分とブロードキャスト部分について、適切な電力制御を個別に行うことが可能となる。ユニキャスト部分の電力制御によれば、宛先指定された受信機へ確実に情報を転送するためにちょうど十分な電力を用いることによって、ユニキャスト制御部分を良好に再使用できるようになる。ブロードキャスト部分は、干渉が確認される電力を伝送しうる。
【００６３】
方法６００は６０２で開始される。ここでは、１または複数のリソースにおけるユニキャスト情報が符号化される。６０４では、ブロードキャスト情報がユニキャスト情報とともに送信されるのであれば、１または複数のリソースのサブセットにおけるブロードキャスト情報が符号化される。ブロードキャスト情報のリソースは、ユニキャスト情報のリソースのサブセットである。ユニキャスト情報は、ブロードキャスト情報がユニキャスト情報と実質的に同時に送信されるかに応じて符号化される。
【００６４】
いくつかの態様によれば、１または複数のリソースは、共有時間−周波数グリッドのリソース・セットから選択された隣接リソースである。それに加えて、１または複数のリソースは、ユニキャスト情報のための第１のビットと、ブロードキャスト／ユニキャスト情報のための少なくとも第２のビットとを含みうる。ユニキャスト情報のビットは、バッファ・レベル・インジケーションでありうる。また、ブロードキャスト／ユニキャスト情報のビットは、優先度レベルを示す。
【００６５】
６０６では、ユニキャスト情報およびブロードキャスト情報の電力が選択的に制御される。いくつかの態様によれば、ユニキャスト情報の電力、および、ブロードキャスト情報の電力は、個別に制御される。いくつかの態様によれば、ユニキャスト情報の電力、および、ブロードキャスト情報の電力を選択的に制御することは、１または複数の（宛先指定されていない）受信デバイスが干渉を判定することを支援するために、ブロードキャスト情報のうちの少なくとも一部の電力を維持することを含む。６０８では、ユニキャスト情報およびブロードキャスト情報が、送信要求として、１または複数の受信デバイスに送信される。
【００６６】
いくつかの態様によれば、ユニキャスト情報およびブロードキャスト情報の電力を制御することは、ターゲット受信機へのリンクを閉じることに基づいて、ユニキャスト部分の電力を選択することを含む。ブロードキャスト部分の電力は、宛先指定されていない受信機が受けると予測される干渉のレベルを示すことができるように、ブロードキャスト部分の電力が、データ送信のために望まれる電力レベルに基づいて選択されうる。
【００６７】
いくつかの態様によれば、送信要求が送られたかについての判定がなされうる。送信要求を送信することができない場合、ユニキャスト部分でヌル要求が送信され、ブロードキャスト情報部分に電力は加えられない。このヌル要求は、送信デバイスが、データ送信要求を伝送したいが、この要求を伝送することを禁じられていることを示す。
【００６８】
その代わりに、あるいは、それに加えて、１または複数のリソースが、パイロット・ビット、優先度メトリック・ビット、およびオプションのパリティ・チェック・ビットを含みうる。方法６００は、ターゲット受信機において、干渉レベル・インジケーションのためのパイロット・ビットに電力を提供することを含む。方法６００はまた、送信デバイスが支配的な干渉物である場合、宛先指定されていない受信機に影響がおよぶことに基づいて、優先度メトリック・ビットおよびオプションのパリティ・チェック・ビットにおける電力レベルを電力制御することを含む。
【００６９】
図７は、多重化されたユニキャスト情報およびブロードキャスト情報を受信する方法７００を例示する。方法７００は７０２で開始される。ここでは、信号が受信される。受信された信号は、ユニキャスト情報、あるいは、ユニキャスト情報とブロードキャスト情報とを含みうる。
【００７０】
７０４では、ユニキャスト情報および／またはブロードキャスト情報の電力レベルが判定される。いくつかの態様によれば、送信要求を検知するために、ブロードキャスト情報の電力レベルが、ユニキャスト部分の復号されたビットと結合されうる。いくつかの態様によれば、ブロードキャスト部分における無電力は、ヌル要求を示す。ヌル要求は、送信デバイスがデータ送信要求を伝送したいが、この要求を伝送することを禁じられていることを示す。
【００７１】
７０６では、ユニキャスト信号の電力レベル、および／または、ブロードキャスト信号の電力レベルに基づいて、信号が選択的に復号される。方法７００はまた、この要求を送信デバイスが伝送するための機会を作るために、共有制御リソースを求めて競合することを含む。
【００７２】
いくつかの態様によれば、受信機は、宛先指定された受信機であって、ユニキャスト部分は、バッファ・レベル・インジケーションを含み、結合されたブロードキャスト部分およびユニキャスト部分は、優先度レベルを示す。方法７００は、競合している送信デバイスのセットからスケジュールするために、優先度レベルを利用することを含む。
【００７３】
いくつかの態様によれば、受信機は、宛先指定されていない受信機である。ユニキャスト部分は、バッファ・レベル・インジケーションを含み、結合されたブロードキャスト部分およびユニキャスト部分は、優先度レベルを示す。方法７００は、バックオフすべきかを判定するために、優先度レベル・ビットを利用することを含む。いくつかの態様によれば、受信機が、宛先指定されていない受信機である場合、方法７００は、パイロット電力レベルに応じて干渉を推定することを含みうる。
【００７４】
図８を参照して、開示された態様のうちの１または複数にしたがって、通信システムにおいて、多重化されたユニキャスト情報およびブロードキャスト情報の送信および／または受信を容易にするシステム８００が例示される。システム８００は、ユーザ・デバイス内、あるいは基地局内に存在しうる。システム８００は、例えば受信機アンテナから信号を受信する受信機８０２を備える。受信機８０２は、受信した信号に対して、例えば、フィルタリング、増幅、および、およびダウンコンバートのような一般的な処理を実行する。受信機８０２はまた、この調整された信号をデジタル化して、サンプルを取得しうる。復調器８０４は、各シンボル期間においてシンボルを取得するのみならず、取得したシンボルをプロセッサ８０６へ提供する。
【００７５】
プロセッサ８０６は、受信機８０２によって受信された情報の分析、および／または、送信機８０８による送信のための情報の生成に特化されたプロセッサでありうる。それに加えて、あるいは、その代わりに、プロセッサ８０６は、ユーザ・デバイス８００のうちの１または複数の構成要素を制御し、受信機８０２によって受信された情報を分析し、送信機８０８による送信のための情報を生成し、および／または、ユーザ・デバイス８００のうちの１または複数の構成要素を制御しうる。プロセッサ８０６は、追加のユーザ・デバイスとの通信を調整することができるコントローラ構成要素を含むことができる。
【００７６】
ユーザ・デバイス８００はさらに、プロセッサ８０６に動作可能に接続されたメモリ８０８を備えうる。このメモリ８０８は、通信を調整することに関連する情報、および、その他任意の適切な情報を格納しうる。態様によれば、メモリ８１０はさらに、共通パイロットを用いてユニキャスト情報とブロードキャスト情報を個別にシグナリングすることに関連付けられたプロトコルを格納しうる。本明細書に記載されたデータ格納（例えば、メモリ）構成要素は、揮発性メモリまたは不揮発性メモリの何れかであるか、あるいは、揮発性メモリと不揮発性メモリとの両方を含みうることが認識されるだろう。限定ではなく、一例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題とするシステムおよび／または方法のメモリは、限定されることなく、これらメモリおよびその他任意の適切なタイプのメモリを備えることが意図される。ユーザ・デバイス８００はさらに、シンボル変調器８１２を備えうる。送信機８０８は、変調された信号を送信するように構成される。
【００７７】
ユーザ・デバイス８００はさらに、エンコーダ８１４に動作可能に接続されている。エンコーダ８１４は、ブロードキャスト情報が、ユニキャスト情報と実質的に同時に送信されるべきかに応じて、ユニキャスト情報を選択的に符号化する。エンコーダ８１４はまた、ブロードキャスト情報を符号化しうる。
【００７８】
さらには、送信要求が送信されるべきかに依存して、ユニキャスト部分および／またはブロードキャスト部分に選択的に電力を含む電力制御モジュール８１６が含まれている。例えば、ヌル要求が送信されるべきである場合、ブロードキャスト部分に無電力が割り当てられる。いくつかの態様によれば、電力制御モジュール８１６は、受信した信号におけるユニキャスト部分および／またはブロードキャスト部分の電力レベルを判定する。エンコーダ８１４および電力制御モジュール８１６は、プロセッサ８０６および／またはメモリ８１０に通信可能に接続されうる。
【００７９】
図９を参照して、通信システムにおいて、ユニキャスト情報およびブロードキャスト情報を多重化するシステム９００の例が示される。例えば、システム９００は、モバイル・デバイス内に少なくとも部分的に存在しうる。システム９００は、プロセッサ、ソフトウェア、またはこれらの組み合わせ（例えば、ファームウェア）によって実現される機能を表す機能ブロックでありうる機能ブロックを含むものとして表されていることが認識されるべきである。
【００８０】
システム９００は、個別または連携して動作する電子構成要素の論理グループ９０２を含む。例えば、論理グループ９０２は、１または複数のリソースにおけるユニキャスト情報を符号化するための電子構成要素８９４を含む。ユニキャスト情報は、ブロードキャスト情報が、ユニキャスト情報と実質的に同時に送信されるかに応じて符号化される。
【００８１】
論理グループ９０２はまた、１または複数のリソースにおけるブロードキャスト情報を符号化するための電子構成要素９０６を含む。これらリソースは、ユニキャスト情報のリソースのサブセットでもありうる。ブロードキャスト情報がユニキャスト情報とともに送信される場合、ブロードキャスト情報は符号化されうる。
【００８２】
論理グループ９０２はまた、ユニキャスト情報の電力と、ブロードキャスト情報の電力とを選択的に制御するための電子構成要素９０８を含む。ユニキャスト情報の電力とブロードキャスト情報の電力とは、個別に制御される。ユニキャスト情報とブロードキャスト情報の電力とを選択的に制御することは、１または複数の受信デバイスが干渉を判定することを支援するために、ブロードキャスト情報の電力を維持することを備える。さらに、論理グループ９０２は、ユニキャスト情報およびブロードキャスト情報を１または複数の受信デバイスへ送信するための電子構成要素９１０を含む。
【００８３】
いくつかの態様によれば、論理グループ９０２は、要求が送信されないと判定するための電子構成要素９１２と、ユニキャスト部分でヌル要求を送信するための電子構成要素９１４とを含む。論理グループ９０２にはまた、ブロードキャスト情報部分に無電力を適用するための電子構成要素９１６が含まれうる。
【００８４】
それに加えて、システム９００は、電子構成要素９０４、９０６、９０８、９１０およびその他の構成要素に関連付けられた機能を実行するための命令群を保持するメモリ９１２を含みうる。メモリ９１２の外側にあると示されているが、電子構成要素９０４、９０６、９０８、９１０のうちの１または複数は、メモリ９１２内に存在できることが理解されるべきである。
【００８５】
図１０は、通信システムにおいて、多重化されたユニキャスト情報およびブロードキャスト情報を受信するシステム１０００を図示する。システム１０００は、モバイル・デバイス内に少なくとも部分的に存在することができる。システム１０００は、プロセッサ、ソフトウェア、またはこれらの組み合わせ（例えば、ファームウェア）によって実現される機能を表す機能ブロックでありうる機能ブロックを含むものとして表されている。
【００８６】
システム１０００は、個別または連携して動作する電子構成要素の論理グループ１００２を含む。論理グループ１００２は、信号を受信するための電子構成要素１００４を含むことができる。この受信された信号は、ユニキャスト部分および／またはブロードキャスト部分を含みうる。
【００８７】
論理グループ１００２はまた、この信号が、ユニキャスト部分に電力を含んでいるのか、ユニキャスト部分とブロードキャスト部分との両方に電力を含んでいるのかを判定するための電子構成要素１００６を含みうる。さらに、論理グループ１００２は、この電力判定に基づいて、信号を選択的に復号するための電子構成要素１００８を含みうる。ブロードキャスト部分に電力がないことは、ヌル要求を示す。ヌル要求は、データ送信要求が送信されないことを示す。態様によれば、ビットがユニキャスト部分でもブロードキャスト部分でも送信されず、送信機がデータを送信する必要がないことを示す場合に、ヌル要求が利用される。
【００８８】
いくつかの態様によれば、論理グループ１００２は、送信要求を検知するために、ブロードキャスト情報の電力レベルと、ユニキャスト部分の復号されたビットとを結合するための電子構成要素１０１０を含む。
【００８９】
それに加えて、システム１０００は、電子構成要素１００４、１００６、１００８、１０１０、およびその他の電子構成要素に関連付けられた機能を実行するための命令群を保持するメモリ１０１２を含みうる。メモリ１０１２の外側にあると示されているが、電子構成要素１００４、１００６、１００８、１０１０のうちの１または複数が、メモリ１０１２内に存在しうることが理解されるべきである。
【００９０】
本明細書に記載された態様は、ハードウェア、ソフトウェア、ファームウェア、あるいはこれら任意の組み合わせによって実現されうることが理解されるべきである。ソフトウェアで実現される場合、これら機能は、コンピュータ読取可能媒体に格納されるか、１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００９１】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサとしてマイクロ・プロセッサを用いることが可能であるが、代わりに、従来技術によるプロセッサ、コントローラ、マイクロ・コントローラ、あるいは状態機器を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００９２】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部に、またはプロセッサの外部に実装されうる。プロセッサの外部に実装される場合、当該技術分野で周知であるさまざまな手段によってプロセッサに通信可能に接続されうる。さらに、少なくとも１つのプロセッサが、本明細書に記載された機能を実行するように動作可能な１または複数のモジュールを含むことができる。
【００９３】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭなどを実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記載されている。それに加えて、ＣＤＭＡ２０００およびＵＭＢは、「第３世代パートナシップ計画２」（３ＧＰＰ２）と命名された組織からのドキュメントに記載されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００９４】
単一キャリア変調および周波数領域等値化を利用する単一キャリア周波数分割多元接続（ＳＣ−ＦＤＭＡ）は、開示された態様とともに利用されうる技術である。ＳＣ−ＦＤＭＡは、ＯＦＤＭＡシステムと同等のパフォーマンス、および、実質的に同程度の全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点から、低いＰＡＰＲがモバイル端末に利益をもたらすアップリンク通信において利用されうる。
【００９５】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。それに加えて、コンピュータ・プログラム製品は、本明細書に記載された機能をコンピュータに対して実行させるように動作可能な１または複数の命令群またはコードを有するコンピュータ読取可能媒体を含むことができる。
【００９６】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００９７】
先の開示は例示的な態様について議論しているが、記載された態様、および／または、特許請求の範囲によって定義された態様のスコープから逸脱することなく、さまざまな変形および修正がなされうることが注目されるべきである。したがって、記載された態様は、特許請求の範囲のスコープ内にあるそのようなすべての変形、修正、および変更を含むことが意図される。さらに、記載された態様の要素および／または態様は、単数形で記載または権利主張されているが、単数に対する限定が明確に述べられていないのであれば、複数が考慮される。それに加えて、それ以外であると述べられていないのであれば、任意の態様のうちのすべてまたは一部が、その他任意の態様のすべてまたは一部とともに利用される。
【００９８】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、発明を実施するための形態または特許請求の範囲で使用される用語「または」は、排他的な「または」ではなく、包括的な「または」を意味することが意図される。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【図１】
2014143717.tif 000003
【図２】
2014143717.tif 000004
【図３】
2014143717.tif 000005
【図４】
2014143717.tif 000006
【図５】
2014143717.tif 000007
【図６】
2014143717.tif 000008
【図７】
2014143717.tif 000009
【図８】
2014143717.tif 000010
【図９】
2014143717.tif 000011
【図１０】
2014143717.tif 000012
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
通信システムにおいて、多重化されたユニキャスト情報およびブロードキャスト情報を受信する、プロセッサおよび受信手段を備えた受信デバイスによって実行される方法であって、
前記受信手段が、ユニキャスト部分およびブロードキャスト部分を含む信号を受信することと、
前記プロセッサが、前記信号が、前記ユニキャスト部分のみに電力を含んでいるのか、あるいは、前記ユニキャスト部分と前記ブロードキャスト部分との両方に電力を含んでいるのかを判定することと、
前記プロセッサが、前記判定に基づいて、前記信号を選択的に復号することと
を備える方法。
【請求項２】
前記ブロードキャスト部分の電力レベルと、前記ユニキャスト部分の復号されたビットとが結合され、送信要求が検知されること、をさらに備える請求項１に記載の方法。
【請求項３】
前記ブロードキャスト部分における無電力は、ヌル要求を示す請求項１に記載の方法。
【請求項４】
前記ヌル要求は、送信デバイスがデータ送信要求を伝送したいが、前記データ送信要求を伝送することを禁じられていることを示す請求項３に記載の方法。
【請求項５】
前記データ送信要求を前記送信デバイスが伝送するための機会を作るために、前記プロセッサが、共有制御リソースを求めて競合することをさらに備える請求項３に記載の方法。
【請求項６】
前記受信デバイスは、宛先指定された受信デバイスであり、前記ユニキャスト部分は、バッファ・レベル・インジケーションを含み、結合されたブロードキャスト部分およびユニキャスト部分は、優先度レベルを示し、
前記方法はさらに、
前記プロセッサが、競合している送信デバイスのセットからスケジュールするために、優先度レベル・ビットを利用すること、を備える請求項１に記載の方法。
【請求項７】
前記受信デバイスは、宛先指定されていない受信デバイスであり、前記ユニキャスト部分は、バッファ・レベル・インジケーションを含み、前記ブロードキャスト部分は、優先度レベルを示し、
前記方法はさらに、
前記プロセッサが、バックオフするかを判定するために、優先度レベル・ビットを利用すること、を備える請求項１に記載の方法。
【請求項８】
前記受信デバイスは、宛先指定されていない受信デバイスであり、
前記方法はさらに、
前記プロセッサが、パイロット電力レベルに応じて干渉を推定することを備える請求項１に記載の方法。
【請求項９】
無線通信装置であって、
信号を受信することと、前記信号が、ユニキャスト部分に電力を含んでいるのか、前記ユニキャスト部分とブロードキャスト部分との両方に電力を含んでいるのかを判定することと、前記判定に基づいて、前記信号を選択的に復号することと、に関連する命令群を保持するメモリと、
前記メモリに接続され、前記メモリに保持された命令群を実行するように構成されたプロセッサと
を備える無線通信装置。
【請求項１０】
前記メモリはさらに、前記ブロードキャスト情報の電力レベルと、前記ユニキャスト部分の復号されたビットとを結合して、送信要求を検知すること、に関連する命令群を保持する請求項９に記載の無線通信装置。
【請求項１１】
前記ブロードキャスト部分における無電力は、データ送信要求が伝送されないことを示すヌル要求である請求項９に記載の無線通信装置。
【請求項１２】
装置であって、
信号を受信する手段と、
前記信号が、ユニキャスト部分に電力を含んでいるのか、前記ユニキャスト部分とブロードキャスト部分との両方に電力を含んでいるのかを判定する手段と、
前記判定に基づいて、前記信号を選択的に復号する手段と
を備える装置。
【請求項１３】
ブロードキャスト情報の電力レベルと、前記ユニキャスト部分の復号されたビットとを結合して、送信要求を検知する手段をさらに備える請求項１２に記載の装置。
【請求項１４】
前記ブロードキャスト部分における無電力は、データ送信要求が送信されないことを示すヌル要求を示す請求項１２に記載の装置。
【請求項１５】
コンピュータ読取可能な記録媒体であって、
コンピュータに対して、信号を受信させるための第１のコードのセットと、
前記コンピュータに対して、前記信号が、ユニキャスト部分に電力を含んでいるのか、前記ユニキャスト部分とブロードキャスト部分との両方に電力を含んでいるのかを判定させるための第２のコードのセットと、
前記判定に基づいて、前記コンピュータに対して、前記信号を選択的に復号させるための第３のコードのセットと、
を記録したコンピュータ読取可能な記録媒体。
【請求項１６】
前記コンピュータに対して、ブロードキャスト情報の電力レベルと、前記ユニキャスト部分の復号されたビットとを結合して、送信要求を検知させるための第４のコードのセット、をさらに記録した請求項１５に記載のコンピュータ読取可能な記録媒体。
【請求項１７】
前記ブロードキャスト部分における無電力は、ヌル要求を示す請求項１５に記載のコンピュータ読取可能な記録媒体。
【請求項１８】
前記ヌル要求は、送信デバイスがデータ送信要求を伝送したいが、前記データ送信要求を伝送することを禁じられていることを示す請求項１７に記載のコンピュータ読取可能な記録媒体。
【請求項１９】
通信システムにおいて、多重化されたユニキャスト情報およびブロードキャスト情報を受信するように構成された少なくとも１つのプロセッサであって、
信号を受信するための第１のモジュールと、
前記信号が、ユニキャスト部分に電力を含んでいるのか、前記ユニキャスト部分とブロードキャスト部分との両方に電力を含んでいるのかを判定するための第２のモジュールと、
前記判定に基づいて、前記信号を選択的に復号するための第３のモジュールと
を備える少なくとも１つのプロセッサ。
【請求項２０】
前記ブロードキャスト情報の電力レベルと、前記ユニキャスト部分の復号されたビットとを結合して、送信要求を検知するための第４のモジュールをさらに備える請求項１９に記載の少なくとも１つのプロセッサ。
【請求項２１】
前記ブロードキャスト部分における無電力は、送信デバイスがデータ送信要求を伝送したいが、前記データ送信要求を伝送することを禁じられていることを示すヌル要求を示し、
前記プロセッサはさらに、
前記データ送信要求を前記送信デバイスが伝送するための機会を作るために、共有制御リソースを求めて競合するための第４のモジュールを備える請求項１９に記載の少なくとも１つのプロセッサ。
【手続補正２】
【補正対象書類名】明細書
【補正対象項目名】００９８
【補正方法】変更
【補正の内容】
【００９８】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、発明を実施するための形態または特許請求の範囲で使用される用語「または」は、排他的な「または」ではなく、包括的な「または」を意味することが意図される。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
以下に本願発明の当初の特許請求の範囲に記載された発明を付記する。
［Ｃ１］
通信システムにおいて、ユニキャスト情報およびブロードキャスト情報を多重化するために、送信デバイスによって実行される方法であって、
１または複数のリソースにおけるユニキャスト情報を符号化することと、
前記ブロードキャスト情報が前記ユニキャスト情報とともに送信される場合、前記１または複数のリソースのサブセットにおけるブロードキャスト情報を符号化することと、
前記ユニキャスト情報および前記ブロードキャスト情報を、送信要求として、１または複数の受信デバイスへ送信することと
を備える方法。
［Ｃ２］
前記ユニキャスト情報は、前記ブロードキャスト情報が前記ユニキャスト情報と実質的に同時に送信されるかに応じて符号化されるＣ１に記載の方法。
［Ｃ３］
前記送信要求が生成されないと判定することと、
ユニキャスト部分でヌル要求を送信することと、
ブロードキャスト情報部分に無電力を適用することと
をさらに備えるＣ１に記載の方法。
［Ｃ４］
前記ユニキャスト情報および前記ブロードキャスト情報のための電力を個別に制御することをさらに備えるＣ１に記載の方法。
［Ｃ５］
前記ユニキャスト情報および前記ブロードキャスト情報のための電力を個別に制御することは、１または複数の受信デバイスが干渉を判定することを支援するために、前記ブロードキャスト情報のうちの少なくとも一部の電力を維持することを備えるＣ４に記載の方法。
［Ｃ６］
前記ユニキャスト情報および前記ブロードキャスト情報のための電力を個別に制御することは、
ターゲット受信機へのリンクを閉じることに基づいて、ユニキャスト部分の電力を選択することと、
干渉レベル・インジケーションに基づいて、ブロードキャスト部分の電力を選択することと
を備えるＣ４に記載の方法。
［Ｃ７］
前記１または複数のリソースは、共有時間−周波数グリッドのリソース・セットから選択された隣接するリソースであるＣ１に記載の方法。
［Ｃ８］
前記１または複数のリソースは、ユニキャスト情報のための第１のビットと、ブロードキャスト情報およびユニキャスト情報のための少なくとも第２のビットとを含むＣ７に記載の方法。
［Ｃ９］
前記ユニキャスト情報のための第１のビットは、バッファ・レベル・インジケーションであり、前記ブロードキャスト情報およびユニキャスト情報のための少なくとも第２のビットは、優先度レベルを示すＣ８に記載の方法。
［Ｃ１０］
前記１または複数のリソースは、パイロット・ビット、優先度メトリック・ビット、およびオプションのパリティ・チェック・ビットを備え、
前記方法はさらに、
ターゲット受信機において干渉レベル・インジケーションのためのパイロット・ビットに電力を提供することと、
前記送信デバイスが支配的な干渉物である場合、宛先指定されていない受信機に影響がおよぶことに基づいて、優先度メトリック・ビットおよびオプションのパリティ・チェック・ビットにおける電力レベルを電力制御することと
を備えるＣ１に記載の方法。
［Ｃ１１］
無線通信装置であって、
第１のリソースにおけるユニキャスト情報を符号化することと、ブロードキャスト情報が前記ユニキャスト情報とともに送信される場合、少なくとも第２のリソースにおけるブロードキャスト情報およびユニキャスト情報を符号化することと、前記第１のリソースおよび前記第２のリソースを、送信要求として、１または複数の受信デバイスへ送信することと、に関連する命令群を保持するメモリと、
前記メモリに接続され、前記メモリに保持された命令群を実行するように構成されたプロセッサと
を備える無線通信装置。
［Ｃ１２］
前記メモリはさらに、前記ユニキャスト情報および前記ブロードキャスト情報のための電力レベルを制御すること、に関連する命令群を保持するＣ１１に記載の無線通信装置。
［Ｃ１３］
前記メモリはさらに、１または複数の受信デバイスが干渉を判定することを支援するために、前記ブロードキャスト情報のための電力を維持すること、に関連する命令群を保持するＣ１２に記載の無線通信装置。
［Ｃ１４］
前記メモリはさらに、
前記送信要求が生成されないと判定することと、
ユニキャスト部分でヌル要求を送信することと、
ブロードキャスト情報部分に無電力を適用することと、
に関連する命令群を保持するＣ１１に記載の無線通信装置。
［Ｃ１５］
エネルギ検知の信頼性を向上するために、前記ヌル要求の電力が上げられるＣ１４に記載の無線通信装置。
［Ｃ１６］
前記メモリはさらに、
ターゲット受信機へのリンクを閉じることに基づいて、ユニキャスト部分の電力を選択することと、
干渉レベル・インジケーションに基づいて、ブロードキャスト部分の電力を選択することと、
に関連する命令群を保持するＣ１１に記載の無線通信装置。
［Ｃ１７］
ユニキャスト情報のための前記第１のリソースは、バッファ・レベル・インジケーションを含み、ブロードキャスト情報およびユニキャスト情報のための前記少なくとも第２のリソースは、優先度レベルを示すＣ１１に記載の無線通信装置。
［Ｃ１８］
装置であって、
１または複数のリソースにおけるユニキャスト情報を符号化する手段と、
ブロードキャスト情報が前記ユニキャスト情報とともに送信される場合、１または複数のリソースにおけるブロードキャスト情報を符号化する手段と、
前記ユニキャスト情報および前記ブロードキャスト情報を、送信要求として、１または複数の受信デバイスへ送信する手段と
を備える装置。
［Ｃ１９］
前記ユニキャスト情報は、ブロードキャスト情報が前記ユニキャスト情報と実質的に同時に送信されるかに応じて符号化されるＣ１８に記載の装置。
［Ｃ２０］
前記ユニキャスト情報および前記ブロードキャスト情報のための電力を個別に制御する手段をさらに備えるＣ１８に記載の装置。
［Ｃ２１］
前記個別に制御する手段は、前記１または複数の受信デバイスが干渉を判定することを支援するために、前記ブロードキャスト情報の電力を維持するＣ２０に記載の装置。
［Ｃ２２］
前記送信要求が生成されないと判定する手段と、
ユニキャスト部分でヌル要求を送信する手段と、
ブロードキャスト情報部分に無電力を適用する手段と
をさらに備えるＣ２０に記載の装置。
［Ｃ２３］
前記ユニキャスト情報および前記ブロードキャスト情報のための電力を個別に制御する手段は、ターゲット受信機へのリンクを閉じることに基づいて、ユニキャスト部分の電力を選択し、干渉レベル・インジケーションに基づいて、ブロードキャスト部分の電力を選択するＣ２０に記載の装置。
［Ｃ２４］
前記１または複数のリソースは、共有時間−周波数グリッドのリソース・セットから選択された隣接するリソースであるＣ１８に記載の装置。
［Ｃ２５］
前記１または複数のリソースは、ユニキャスト情報のための第１のビットと、ブロードキャスト情報およびユニキャスト情報のための少なくとも第２のビットとを含むＣ２４に記載の装置。
［Ｃ２６］
コンピュータ読取可能媒体を備えるコンピュータ・プログラム製品であって、
前記コンピュータ読取可能媒体は、
コンピュータに対して、１または複数のリソースにおけるユニキャスト情報を符号化させるための第１のコードのセットと、
ブロードキャスト情報が前記ユニキャスト情報とともに送信される場合、前記コンピュータに対して、前記１または複数のリソースにおけるブロードキャスト情報を符号化させるための第２のコードのセットであって、ここで、前記ユニキャスト情報は、前記ブロードキャスト情報が前記ユニキャスト情報とともに送信されるかに応じて符号化される、第２のコードのセットと、
前記コンピュータに対して、前記ユニキャスト情報および前記ブロードキャスト情報を含む送信要求を、１または複数の受信デバイスへ送信させるための第３のコードのセットと
を備えるコンピュータ・プログラム製品。
［Ｃ２７］
前記コンピュータ読取可能媒体はさらに、
前記コンピュータに対して、情報が送信されないと判定させるための第４のコードのセットと、
前記コンピュータに対して、ユニキャスト部分でヌル要求を送信させるための第５のコードのセットであって、ここで、前記ヌル要求は、前記情報は利用可能であるが送信されないことを示す、第５のコードのセットと、
前記コンピュータに対して、ブロードキャスト情報部分に無電力を適用させるための第６のコードのセットと
を備えるＣ２６に記載のコンピュータ・プログラム製品。
［Ｃ２８］
通信システムにおいて、ユニキャスト情報およびブロードキャスト情報を多重化するように構成された少なくとも１つのプロセッサであって、
１または複数のリソースにおけるユニキャスト情報を符号化するための第１のモジュールと、
前記ブロードキャスト情報が前記ユニキャスト情報とともに送信される場合、前記１または複数のリソースのサブセットにおけるブロードキャスト情報を符号化するための第２のモジュールであって、ここで、前記ユニキャスト情報は、前記ブロードキャスト情報が前記ユニキャスト情報と実質的に同時に送信されるかに応じて符号化される、第２のモジュールと、
前記ユニキャスト情報および前記ブロードキャスト情報を、送信要求として、１または複数の受信デバイスへ送信するための第３のモジュールと
を備える少なくとも１つのプロセッサ。
［Ｃ２９］
前記１または複数のリソースでデータが送信されないと判定するための第４のモジュールと、
ユニキャスト部分でヌル要求を送信するための第５のモジュールであって、ここで、前記ヌル要求は、データが利用可能であるが送信されないことを示す、第５のモジュールと、
ブロードキャスト情報部分に無電力を適用させるための第６のモジュールと
をさらに備えるＣ２８に記載の少なくとも１つのプロセッサ。
［Ｃ３０］
通信システムにおいて、多重化されたユニキャスト情報およびブロードキャスト情報を受信する受信デバイスによって実行される方法であって、
ユニキャスト部分およびブロードキャスト部分を含む信号を受信することと、
前記信号が、前記ユニキャスト部分のみに電力を含んでいるのか、あるいは、前記ユニキャスト部分と前記ブロードキャスト部分との両方に電力を含んでいるのかを判定することと、
前記判定に基づいて、前記信号を選択的に復号することと
を備える方法。
［Ｃ３１］
前記ブロードキャスト情報の電力レベルと、前記ユニキャスト部分の復号されたビットとが結合され、送信要求が検知されること、をさらに備えるＣ３０に記載の方法。
［Ｃ３２］
前記ブロードキャスト部分における無電力は、ヌル要求を示すＣ３０に記載の方法。
［Ｃ３３］
前記ヌル要求は、送信デバイスがデータ送信要求を伝送したいが、前記データ送信要求を伝送することを禁じられていることを示すＣ３２に記載の方法。
［Ｃ３４］
前記データ送信要求を前記送信デバイスが伝送するための機会を作るために、共有制御リソースを求めて競合することをさらに備えるＣ３２に記載の方法。
［Ｃ３５］
前記受信機は、宛先指定された受信機であり、前記ユニキャスト部分は、バッファ・レベル・インジケーションを含み、結合されたブロードキャスト部分およびユニキャスト部分は、優先度レベルを示し、
前記方法はさらに、
競合している送信デバイスのセットからスケジュールするために、優先度レベル・ビットを利用すること、を備えるＣ３０に記載の方法。
［Ｃ３６］
前記受信機は、宛先指定されていない受信機であり、前記ユニキャスト部分は、バッファ・レベル・インジケーションを含み、前記ブロードキャスト部分は、優先度レベルを示し、
前記方法はさらに、
バックオフするかを判定するために、優先度レベル・ビットを利用すること、を備えるＣ３０に記載の方法。
［Ｃ３７］
前記受信機は、宛先指定されていない受信機であり、
前記方法はさらに、
パイロット電力レベルに応じて干渉を推定することを備えるＣ３０に記載の方法。
［Ｃ３８］
無線通信装置であって、
信号を受信することと、前記信号が、ユニキャスト部分に電力を含んでいるのか、前記ユニキャスト部分とブロードキャスト部分との両方に電力を含んでいるのかを判定することと、前記判定に基づいて、前記信号を選択的に復号することと、に関連する命令群を保持するメモリと、
前記メモリに接続され、前記メモリに保持された命令群を実行するように構成されたプロセッサと
を備える無線通信装置。
［Ｃ３９］
前記メモリはさらに、前記ブロードキャスト情報の電力レベルと、前記ユニキャスト部分の復号されたビットとを結合して、送信要求を検知すること、に関連する命令群を備えるＣ３８に記載の無線通信装置。
［Ｃ４０］
前記ブロードキャスト部分における無電力は、データ送信要求が伝送されないことを示すヌル要求であるＣ３８に記載の無線通信装置。
［Ｃ４１］
装置であって、
信号を受信する手段と、
前記信号が、ユニキャスト部分に電力を含んでいるのか、ユニキャスト部分とブロードキャスト部分との両方に電力を含んでいるのかを判定する手段と、
前記判定に基づいて、前記信号を選択的に復号する手段と
を備える装置。
［Ｃ４２］
ブロードキャスト情報の電力レベルと、前記ユニキャスト部分の復号されたビットとを結合して、送信要求を検知する手段をさらに備えるＣ４１に記載の装置。
［Ｃ４３］
前記ブロードキャスト部分における無電力は、データ送信要求が送信されないことを示すヌル要求を示すＣ４１に記載の装置。
［Ｃ４４］
コンピュータ読取可能媒体を備えるコンピュータ・プログラム製品であって、
前記コンピュータ読取可能媒体は、
コンピュータに対して、信号を受信させるための第１のコードのセットと、
前記コンピュータに対して、前記信号が、ユニキャスト部分に電力を含んでいるのか、前記ユニキャスト部分とブロードキャスト部分との両方に電力を含んでいるのかを判定させるための第２のコードのセットと、
前記判定に基づいて、前記コンピュータに対して、前記信号を選択的に復号させるための第３のコードのセットと
を備えるコンピュータ・プログラム製品。
［Ｃ４５］
前記コンピュータ読取可能媒体はさらに、
前記コンピュータに対して、ブロードキャスト情報の電力レベルと、前記ユニキャスト部分の復号されたビットとを結合して、送信要求を検知させるための第４のコードのセットを備えるＣ４４に記載のコンピュータ・プログラム製品。
［Ｃ４６］
前記ブロードキャスト部分における無電力は、ヌル要求を示すＣ４４に記載のコンピュータ・プログラム製品。
［Ｃ４７］
前記ヌル要求は、送信デバイスがデータ送信要求を伝送したいが、前記データ送信要求を伝送することを禁じられていることを示すＣ４６に記載のコンピュータ・プログラム製品。
［Ｃ４８］
通信システムにおいて、多重化されたユニキャスト情報およびブロードキャスト情報を受信するように構成された少なくとも１つのプロセッサであって、
信号を受信するための第１のモジュールと、
前記信号が、ユニキャスト部分に電力を含んでいるのか、前記ユニキャスト部分とブロードキャスト部分との両方に電力を含んでいるのかを判定するための第２のモジュールと、
前記判定に基づいて、前記信号を選択的に復号するための第３のモジュールと
を備える少なくとも１つのプロセッサ。
［Ｃ４９］
前記ブロードキャスト情報の電力レベルと、前記ユニキャスト部分の復号されたビットとを結合して、送信要求を検知するための第４のモジュールをさらに備えるＣ４８に記載の少なくとも１つのプロセッサ。
［Ｃ５０］
前記ブロードキャスト部分における無電力は、送信デバイスがデータ送信要求を伝送したいが、前記データ送信要求を伝送することを禁じられていることを示すヌル要求を示し、
前記プロセッサはさらに、
前記データ送信要求を前記送信デバイスが伝送するための機会を作るために、共有制御リソースを求めて競合するための第４のモジュールを備えるＣ４８に記載の少なくとも１つのプロセッサ。
【外国語明細書】
2014143717000001.pdf